(57)【要約】【課題】色収差を中心とした諸収差が良好に補正された小型・薄型かつ高変倍率で広角端の画角が大きい結像光学系を提供すること。【解決手段】物体側から順に、正の屈折力を有する第１レンズ群Ｇ１と、負の屈折力を有しており負、負、正の順の３つのレンズ成分からなる第２レンズ群Ｇ２と、正の屈折力を有する第３レンズ群Ｇ３と、正の屈折力を有する第４レンズ群Ｇ４とより構成され、  変倍時には全系の焦点距離ｆが１．４ｆｗ以上かつ２．０ｆｗ以下を満たすいずれかの値のときに、前記第１レンズ群Ｇ１が広角端のときよりも物体側に位置するように移動する結像光学系であり、前記第２レンズ群Ｇ２のいずれかの前記負レンズ成分にはレンズＬAが接合されており、所定の条件式を満足する。【選択図】図１
2011186393.tif 000002
【特許請求の範囲】
【請求項１】
物体側から順に、正の屈折力を有する第１レンズ群Ｇ１と、負の屈折力を有しており負、負、正の順の３つのレンズ成分からなる第２レンズ群Ｇ２と、正の屈折力を有する第３レンズ群Ｇ３と、正の屈折力を有する第４レンズ群Ｇ４とより構成され、
変倍時には全系の焦点距離ｆが１．４ｆｗ以上かつ２．０ｆｗ以下を満たすいずれかの値のときに、前記第１レンズ群Ｇ１が広角端のときよりも物体側に位置するように移動する結像光学系であり、
前記第２レンズ群Ｇ２のいずれかの前記負レンズ成分にはレンズＬAが接合されており、
横軸をνd(LA)、及び縦軸をθgF(LA)とする直交座標系において、
θgF(LA)＝αgF×νd(LA)＋βgF(LA)  （但し、αgF＝−０．００５６６）
で表される直線を設定したときに、以下の条件式（１）の範囲の下限値であるときの直線、及び上限値であるときの直線で定まる領域と、
横軸をνd、及び縦軸をｎdとする直交座標系において、
ｎd(LA) ＝ａ×νd(LA)＋ｂ(LA)（但し、ａ＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、前記レンズＬAのθgF及びｎd及びνdが含まれることを特徴とする結像光学系。
０．７７００＜βgF(LA)＜０．８７００              …（１）
２．０＜ｂ(LA)＜２．４    （但し、ｎd(LA)＞１．３）    …（２）
１０＜νd(LA)＜３５                                …（３）
ここで、
θgF(LA)は前記レンズＬAの部分分散比（ｎg(LA)−ｎF(LA)）／（ｎF(LA)−ｎC(LA)）、
νd(LA)は前記レンズＬAのアッベ数（ｎd(LA)−1）／（ｎF(LA)−ｎC(LA)）、
ｎd(LA)、ｎC(LA)、ｎF(LA)、ｎg(LA)は、それぞれ前記レンズＬAの各々ｄ線、Ｃ線、Ｆ線、ｇ線の屈折率、
である。
【請求項２】
以下の条件を満足することを特徴とする請求項１に記載の結像光学系。
｜ΔｎAB｜＜０．１５    ・・・（８）
ここで、ΔｎABは、前記レンズＬAの媒質のｄ線に対する屈折率と、前記負レンズＬBの媒質のｄ線に対する屈折率との屈折率差である。
【請求項３】
前記第２レンズ群Ｇ２の最も物体側の負レンズ成分Ｌ21を構成する負レンズの媒質の屈折率ｎ21が以下の条件を満足することを特徴とする請求項１〜２のいずれか一項に記載の結像光学系。
ｎ21＞１．８５      ・・・（９）
【請求項４】
前記第２レンズ群Ｇ２の最も物体側の負レンズ成分Ｌ21の形状ファクターが以下の条件を満足することを特徴とする請求項１〜３のいずれか一項に記載の結像光学系。
０．１＜（ｒ21a＋ｒ21b）／（ｒ21a−ｒ21b）＜１．７    ・・・（１０）
ここで、
ｒ21aは、前記負レンズ成分Ｌ21の最も物体側の面の光軸上における曲率半径、
ｒ21bは、前記負レンズ成分Ｌ21の最も像側の面の光軸上における曲率半径、
である。
【請求項５】
前記第２レンズ群Ｇ２の最も像側の正レンズ成分Ｌ23を構成する正レンズが以下の条件式（１３）を満足することを特徴とする請求項１〜４のいずれか一項に記載の結像光学系。
１０＜ν23＜１９    ・・・（１３）
ここで、
ν23は前記レンズ成分Ｌ23を構成する正レンズの媒質のｄ線基準のアッベ数（ｎd(L23)−1）／（ｎF(L23)−ｎC(L23)）、
ｎd(L23)、ｎC(L23)、ｎF(L23)、ｎg(L23)は、それぞれ前記レンズ成分Ｌ23の各々ｄ線、Ｃ線、Ｆ線、ｇ線の屈折率、
である。
【請求項６】
前記第２レンズ群Ｇ２の最も物体側の負レンズ成分Ｌ21を構成する負レンズと、像側の正レンズ成分Ｌ23を構成する正レンズとが以下の条件式（１４）を満足することを特徴とする請求項１〜５のいずれか一項に記載の結像光学系。
−０．４０＜ｎ23−ｎ21＜０．１０    ・・・（１４）
ここで、
ｎ21は前記レンズ成分Ｌ21を構成する負レンズの媒質のｄ線の屈折率、
ｎ23は前記レンズ成分Ｌ23を構成する正レンズの媒質のｄ線の屈折率、
である
【請求項７】
広角端における前記結像光学系の全長が望遠端における前記結像光学系の全長の０．７５倍以下となることを特徴とする請求項１〜６のいずれか一項に記載の結像光学系。
【請求項８】
広角端から望遠端に変倍する際の第１レンズ群Ｇ１の移動量に対する第２レンズ群Ｇ２の移動量の比の絶対値が０．４以下であることを特徴とする請求項１〜７のいずれか一項に記載の結像光学系。
【請求項９】
望遠端の全系焦点距離に対する第２レンズ群Ｇ２の合成焦点距離の比の絶対値が０．１５以下であることを特徴とする請求項１〜８のいずれか一項に記載の結像光学系およびそれを用いた結像光学系。
【請求項１０】
変倍時には前記結像光学系の全系の焦点距離ｆが１．４ｆｗ以上かつ２．０ｆｗ以下の任意の値のときに、前記第２レンズ群Ｇ２が広角端のときよりも物体側に位置するように移動することを特徴とする請求項１〜９のいずれか一項に記載の結像光学系。
【請求項１１】
広角端から望遠端に向けて変倍する際に、前記第３レンズ群Ｇ３は物体側のみに移動することを特徴とする請求項１〜１０のいずれか一項に記載の結像光学系。
【請求項１２】
以下の条件式を満足することを特徴とする請求項１〜１１のいずれか一項に記載の結像光学系。
０．２５＜D34t／ｆt＜０．５０    ・・・（１５）
ここで、
D34tは望遠端において撮影倍率の絶対値が１／５０以下となる被写体に合焦した際の前記第３レンズ群Ｇ３と前記第４レンズ群Ｇ４との光軸上の空気間隔、
ｆtは望遠端における前記結像光学系全系の焦点距離、
である。
【請求項１３】
請求項１〜１２のいずれか一項に記載の結像光学系と、
前記結像光学系の結像位置の近傍に配置された電子撮像素子を有し、
前記結像光学系がズームレンズであり、
前記レンズＬAとの接合相手のレンズは負レンズＬBであり、
非球面の形状について、光軸方向をｚ、その垂直方向の高さをｈとして、
ｚ＝（ｈ2／Ｒ）／｛１＋［１−（１＋K）（ｈ／Ｒ）2］1/2｝
＋Ａ４ｈ4＋Ａ６ｈ6＋Ａ８ｈ8＋Ａ１０ｈ10      …（４）
と表し、また、光軸上の曲率を有する球面からの偏倚量を
Δｚ＝ｚ−ｈ２／Ｒ｛１＋（１−ｈ2／Ｒ2）1/2｝      …（５）
と表し、
ｚAは前記レンズＬAの空気接触面の形状であって、式（４）に従う形状、
ΔｚA は前記レンズＬAの空気接触面の偏倚量であって、式（５）に従う量、
ｚB は前記正レンズＬBの空気接触面の形状であって、式（４）に従う形状、
ΔｚBは前記正レンズＬBの空気接触面の偏倚量であって、式（５）に従う量、
ｚCは前記接合面の形状であって、式（４）に従う形状、
ΔｚCは前記接合面の偏倚量であって、式（５）に従う量、
ＲCは前記接合面の近軸曲率半径、
νd(LA)は前記レンズＬAのｄ線に対するアッベ数（ｎdA−1）／（ｎFA−ｎCA）とし、
νd(LB)は前記レンズＬBのｄ線に対するアッベ数（ｎdB−1）／（ｎFB−ｎCB）とし、
ｎdA、ｎCA、ｎFA、ｎgAは各々前記レンズＬAのｄ線、Ｃ線、Ｆ線、ｇ線に対する屈折率、
ｎdB、ｎCB、ｎFB、ｎgBは各々前記レンズＬBのｄ線、Ｃ線、Ｆ線、ｇ線に対する屈折率、
前記レンズＬAの非球面と分散に関するパラメータP(LA) を
P(LA)  ＝（ΔｚC（h） −ΔｚA（h） ）／νd(LA)
前記レンズＬBの非球面と分散に関するパラメータP(LB) を
P(LB)  ＝（ΔｚC（h） −ΔｚB（h） ）／νd(LB)
としたとき、
以下の条件（６a）または（６b）を満足することを特徴とする電子撮像装置。
Ｒ12C≧０のとき、
-1.0e-4≦｛P(LA)−P(LB)｝／ｙ10≦+1.0e-3  〈但し、ｈ＝0.9a〉  ・・・（６a）
Ｒ12C≦０のとき、
-1.0e-3≦｛P(LA)−P(LB)｝／ｙ10≦+1.0e-4  〈但し、ｈ＝0.9a〉  ・・・（６b）
なお、aは以下の（７）式に従う量、
a＝(ｙ10 )2・log10γ／ｆw    ・・・（７）
また、式（７）において、
ｙ10は前記結像光学系の結像位置近傍に配置された電子撮像素子の有効撮像面内（撮像可能な面内）において、中心から最も遠い点までの距離（最大像高）、
ｆwは前記結像光学系の広角端における前記結像光学系全系の焦点距離、
γは前記結像光学系のズーム比（望遠端での全系焦点距離／広角端での全系焦点距離）、
である。
また、両空気接触面は球面であってもよく、
さらに、各面の面頂を原点とするため、常にｚ（０）＝０である。
【請求項１４】
非球面の形状について、光軸方向をｚ、その垂直方向の高さをｈとして、
ｚ＝（ｈ2／Ｒ）／｛１＋［１−（１＋K）（ｈ／Ｒ）2］1/2｝
＋Ａ４ｈ4＋Ａ６ｈ6＋Ａ８ｈ8＋Ａ１０ｈ10      …（４）
と表し、また、光軸上の曲率を有する球面からの偏倚量を
Δｚ＝ｚ−ｈ２／Ｒ｛１＋（１−ｈ2／Ｒ2）1/2｝      …（５）
と表したとき、
前記各レンズ成分の最も像側の面の偏倚量と、最も物体側の面との偏倚量との差ΔASPは、
ΔASP＝Δｚb−Δｚa    ・・・（１１）
と表せる。
但し、
Δｚaは前記レンズ成分の最も物体側の面の球面からの偏倚量、
Δｚbは前記レンズ成分の最も像側の面の球面からの偏倚量、
また、前記第２レンズ群Ｇ２の最も物体側の負レンズ成分Ｌ21と物体側から2番目の負レンズ成分Ｌ22とが、ｈ＝0.9aにおいて以下の条件を満足することを特徴とする請求項１３に記載の電子撮像装置。
ΔASP22(ｈ)＜ΔASP21(ｈ)    ・・・（１２）
ここで、
ΔASP21は、前記負レンズ成分Ｌ21の最も像側の面の光軸上で前記最も像側の面と同じ曲率を有する球面からの偏倚量と、最も物体側の面の光軸上で前記最も物体側の面と同じ曲率を有する球面からの偏倚量との差、
ΔASP22は、前記負レンズ成分Ｌ22の最も像側の面の光軸上で前記最も像側の面と同じ曲率を有する球面からの偏倚量と、最も物体側の面の光軸上で前記最も物体側の面と同じ曲率を有する球面からの偏倚量との差、
なお、
a＝(ｙ10 )2・log10 γ／ ｆw    ・・・（７）
である。
【請求項１５】
該ズームレンズが、無限遠物点合焦時に以下の条件式（Ｉ）を満足することを特徴とする請求項１３または１５に記載の電子撮像装置。
０．７０＜ｙ07／（ｆｗ・ｔａｎω07w）＜０．９７  …(Ｉ)
但し、ｙ07は前記電子撮像素子の有効撮像面内（撮像可能な面内）で中心から最も遠い点までの距離（最大像高）をｙ10としたときｙ07＝０．７ｙ10で表され、ω07wは広角端における前記撮像面上の中心からｙ07の位置に結ぶ像点に対応する物点方向の光軸に対する角度、ｆｗは広角端における前記結像光学系の全系の焦点距離である。
【発明の詳細な説明】
【技術分野】
【０００１】
本発明は、ズーム光学系の高変倍率化、薄型化、高性能化を実現できる有効なレンズ構成とその電子撮像装置の薄型化への応用に関するものである。
【背景技術】
【０００２】
デジタルカメラは高画素数化（高画質化）や小型薄型化において実用レベルを達成し、機能的にも市場的にも銀塩３５ｍｍフィルムカメラにとって代わってしまった。そこで、次なる進化の方向の１つとして、そのままの小ささ薄さで光学系の高変倍比、広角化、大口径比化など光学仕様の向上とともにさらなる高画素数化が強く求められている。
【０００３】
たとえば、特許文献１に記載されたズーム光学系は高変倍率かつ広角でありしかも各々レンズ群の光軸方向の厚みを薄く構成できている。したがって、それを搭載した電子撮像装置は薄型であると同時に高機能である。また、同様のズーム光学系で小ささや薄さをそのままにさらなる光学仕様を向上しようとすると問題となりやすい色収差を補正するために、従来のガラスにはない有効な分散特性あるいは部分分散特性を有する透明媒質を導入した事例として、特許文献２、特許文献３、特許文献４などがある。
【０００４】
さらに、電子撮像素子を用いた電子撮像装置ではｈ線（４０４．６６ｎｍ）の色収差によるフレアが発生しやすいためｈ線の色収差補正の重要性を説いた記述のある特許文献５が知られている。
【先行技術文献】
【特許文献】
【０００５】
【特許文献１】特開２００８-１１２０１３号公報
【特許文献２】特開２００６−３４９９４７号公報
【特許文献３】特開２００８−１３９６４５号公報
【特許文献４】特開２００９−８０４８３号公報
【特許文献５】特開２００１−２０８９６４号公報
【特許文献６】特開２００７−２７１７１１号公報
【発明の概要】
【発明が解決しようとする課題】
【０００６】
特許文献１に記載の実施例では、ズーム比が１０倍、広角端での画角が８０°という仕様である。そして、光学系の全長は短く、各レンズ群、特に第１レンズ群の光軸方向の厚みが薄くなっている。
しかしながら、望遠端における短波長領域、特にｇ線やｈ線の軸上色収差、倍率色収差の補正が困難となっている。さらに、光学系の小型化もしくは仕様の向上を行なうと色収差が許容できなくなってしまう。
光学系の実施例として、そのほかに特許文献６に提案されている構成がある。この例では、ズーム比が７倍弱、広角端での画角が７０°前後である。
【０００７】
また、特許文献２、特許文献３、特許文献４には、従来にはない有効な分散特性や部分分散特性を有する透明物質についての記載がある。この透明物質を上述の特許文献１に適用して、光学系をさらに薄型化することが考えられる。
しかしながら、透明物質を用いた実施例に関する記載事項を参照すると、従来設計例に対して光学系の薄型化が可能であることが実証できていない。
【０００８】
また、特許文献５には光学系において、色フレアを除去する具体的な有効手段が記載されていない。
【０００９】
次に、色収差について詳述する。
色収差には、近軸的な色収差と、高次の色収差とが存在する。さらに、近軸色収差には、焦点位置の色収差と、焦点距離の色収差とが存在する。これらの色収差の補正とは、通常、ある２波長、たとえばＣ線（６５６．２７ｎｍ）とＦ線（４８６．１３ｎｍ）について、それぞれの焦点位置と焦点距離が一致させることをいう。これらの色収差が補正された状態を、Ｃ線とＦ線の色消しが出来ていると称している。
【００１０】
Ｃ線とＦ線の色消しは、光学系に含まれる複数のレンズ体に、相応のアッベ数を選択することで達成できる。しかしながら、Ｃ線とＦ線とは異なる他の波長について、それぞれの焦点位置と焦点距離とが一致していない状態、つまり収差が残存している状態がほとんどである。
【００１１】
このような残存色収差を２次スペクトルと称している。その残存量に影響する光学特性が部分分散比である。通常の光学材料の場合、低分散な材料、即ちアッベ数が高い材料は、相対的に部分分散比が小さい。また、高分散な材料、即ちアッベ数が低い材料は、相対的に部分分散比が大きい。従って、低分散材料には極力部分分散比が大きく、高分散材料では極力部分分散比が小さいものを選択することで２次スペクトルを軽減することが理論的には可能である。しかしながら、現実には、そうした光学材料は非常に限られている。
【００１２】
一方、高次の色収差とは、色の球面収差、色コマ、倍率色収差の像高に関する高次成分（色の歪曲収差）をいう。これらの収差は、基準波長、たとえばｄ線＝５８７．５６ｎｍに対する高次収差発生源と材料の分散とが複雑に絡んでいる。一般的にこれらを補正することは、基準波長に対する収差の補正や近軸色収差の補正を犠牲にすることになる。従って、独立に補正することが望ましい。
【００１３】
本発明は上記従来の課題に鑑み、色収差を中心とした諸収差が良好に補正された小型・薄型かつ高変倍率で広角端の画角が大きい結像光学系を提供すること、また、この結像光学系を有し、高い仕様でかつ極めて薄い電子撮像装置を提供することを目的としている。
【課題を解決するための手段】
【００１４】
上記目的を達成するため、本発明の結像光学系は、
物体側から順に、正の屈折力を有する第１レンズ群Ｇ１と、負の屈折力を有しており負、負、正の順の３つのレンズ成分からなる第２レンズ群Ｇ２と、正の屈折力を有する第３レンズ群Ｇ３と、正の屈折力を有する第４レンズ群Ｇ４とより構成され、
変倍時には全系の焦点距離ｆが１．４ｆｗ以上かつ２．０ｆｗ以下を満たすいずれかの値のときに、前記第１レンズ群Ｇ１が広角端のときよりも物体側に位置するように移動する結像光学系であり、
前記第２レンズ群Ｇ２のいずれかの前記負レンズ成分にはレンズＬAが接合されており、
横軸をνd(LA)、及び縦軸をθgF(LA)とする直交座標系において、
θgF(LA)＝αgF×νd(LA)＋βgF(LA)（但し、αgF＝−０．００５６６）
で表される直線を設定したときに、以下の条件式（１）の範囲の下限値であるときの直線、及び上限値であるときの直線で定まる領域と、
横軸をνd、及び縦軸をｎdとする直交座標系において、
ｎd(LA) ＝ａ×νd(LA)＋ｂ(LA)（但し、ａ＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、前記レンズＬAのθgF及びｎd及びνdが含まれることを特徴とする。
０．７７００＜βgF(LA)＜０．８７００              …（１）
２．０＜ｂ(LA)＜２．４    （但し、ｎd(LA)＞１．３）    …（２）
１０＜νd(LA)＜３５                                …（３）
ここで、
θgF(LA)は前記レンズＬAの部分分散比（ｎg(LA)−ｎF(LA)）／（ｎF(LA)−ｎC(LA)）、
νd(LA)は前記レンズＬAのアッベ数（ｎd(LA)−1）／（ｎF(LA)−ｎC(LA)）、
ｎd(LA)、ｎC(LA)、ｎF(LA)、ｎg(LA)は、それぞれ前記レンズＬAの各々ｄ線、Ｃ線、Ｆ線、ｇ線の屈折率、
である。
【００１５】
また、本発明の電子撮像光学系は、
上述の結像光学系と、
前記結像光学系の結像位置の近傍に配置された電子撮像素子を有し、
前記結像光学系がズームレンズであり、
前記レンズＬAとの接合相手のレンズは負レンズＬBであり、
非球面の形状について、光軸方向をｚ、その垂直方向の高さをｈとして、
ｚ＝（ｈ2／Ｒ）／｛１＋［１−（１＋K）（ｈ／Ｒ）2］1/2｝
＋Ａ４ｈ4＋Ａ６ｈ6＋Ａ８ｈ8＋Ａ１０ｈ10      …（４）
と表し、また、光軸上の曲率を有する球面からの偏倚量を
Δｚ＝ｚ−ｈ２／Ｒ｛１＋（１−ｈ2／Ｒ2）1/2｝      …（５）
と表し、
ｚAは前記レンズＬAの空気接触面の形状であって、式（４）に従う形状、
ΔｚA は前記レンズＬAの空気接触面の偏倚量であって、式（５）に従う量、
ｚB は前記正レンズＬBの空気接触面の形状であって、式（４）に従う形状、
ΔｚBは前記正レンズＬBの空気接触面の偏倚量であって、式（５）に従う量、
ｚCは前記接合面の形状であって、式（４）に従う形状、
ΔｚCは前記接合面の偏倚量であって、式（５）に従う量、
ＲCは前記接合面の近軸曲率半径、
νd(LA)は前記レンズＬAのｄ線に対するアッベ数（ｎdA−1）／（ｎFA−ｎCA）とし、
νd(LB)は前記レンズＬBのｄ線に対するアッベ数（ｎdB−1）／（ｎFB−ｎCB）とし、
ｎdA、ｎCA、ｎFA、ｎgAは各々前記レンズＬAのｄ線、Ｃ線、Ｆ線、ｇ線に対する屈折
率、
ｎdB、ｎCB、ｎFB、ｎgBは各々前記レンズＬBのｄ線、Ｃ線、Ｆ線、ｇ線に対する屈折率、
前記レンズＬAの非球面と分散に関するパラメータP(LA) を
P(LA)  ＝（ΔｚC（h） −ΔｚA（h） ）／νd(LA)
前記レンズＬBの非球面と分散に関するパラメータP(LB) を
P(LB)  ＝（ΔｚC（h） −ΔｚB（h） ）／νd(LB)
としたとき、
以下の条件（６a）または（６b）を満足することを特徴とする。
Ｒ12C≧０のとき、
-1.0e-4≦｛P(LA)−P(LB)｝／ｙ10≦+1.0e-3  〈但し、ｈ＝0.9a〉  ・・・（６a）
Ｒ12C≦０のとき、
-1.0e-3≦｛P(LA)−P(LB)｝／ｙ10≦+1.0e-4  〈但し、ｈ＝0.9a〉  ・・・（６b）
なお、aは以下の（７）式に従う量、
a＝(ｙ10 )2・log10γ／ｆw    ・・・（７）
また、式（７）において、
ｙ10は前記結像光学系の結像位置近傍に配置された電子撮像素子の有効撮像面内（撮像可能な面内）において、中心から最も遠い点までの距離（最大像高）、
ｆwは前記結像光学系の広角端における前記結像光学系全系の焦点距離、
γは前記結像光学系のズーム比（望遠端での全系焦点距離／広角端での全系焦点距離）、
である。
また、両空気接触面は球面であってもよく、
さらに、各面の面頂を原点とするため、常にｚ（０）＝０である。
【発明の効果】
【００１６】
本発明によれば、色収差を中心とした諸収差が良好に補正された小型・薄型かつ高変倍率で広角端画角が大きい結像光学系を提供すること、また、この結像光学系を有し、高い仕様でかつ極めて薄い電子撮像装置を提供することができる。
【図面の簡単な説明】
【００１７】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】実施例１にかかるズームレンズの無限遠物点合焦時における軸外光束のコマ収差を示す図であり、（a）は広角端、（b）は中間、（c）は望遠端での状態を示している。
【図４】本発明の実施例２にかかるズームレンズの（ａ）は広角端、（ｂ）は中間、（ｃ）は望遠端における無限遠物点合焦時の光学構成を示す光軸に沿う断面図である。
【図５】実施例２にかかるズームレンズの無限遠物点合焦時における球面収差、非点収差、歪曲収差、倍率色収差を示す図であり、（a）は広角端、（b）は中間、（c）は望遠端での状態を示している。
【図６】実施例２にかかるズームレンズの無限遠物点合焦時における軸外光束のコマ収差を示す図であり、（a）は広角端、（b）は中間、（c）は望遠端での状態を示している。
【図７】本発明の実施例３にかかるズームレンズの（ａ）は広角端、（ｂ）は中間、（ｃ）は望遠端における無限遠物点合焦時の光学構成を示す光軸に沿う断面図である。
【図８】実施例３にかかるズームレンズの無限遠物点合焦時における球面収差、非点収差、歪曲収差、倍率色収差を示す図であり、（a）は広角端、（b）は中間、（c）は望遠端での状態を示している。
【図９】実施例３にかかるズームレンズの無限遠物点合焦時における軸外光束のコマ収差を示す図であり、（a）は広角端、（b）は中間、（c）は望遠端での状態を示している。
【図１０】本発明の実施例４にかかるズームレンズの（ａ）は広角端、（ｂ）は中間、（ｃ）は望遠端における無限遠物点合焦時の光学構成を示す光軸に沿う断面図である。
【図１１】実施例４にかかるズームレンズの無限遠物点合焦時における球面収差、非点収差、歪曲収差、倍率色収差を示す図であり、（a）は広角端、（b）は中間、（c）は望遠端での状態を示している。
【図１２】実施例４にかかるズームレンズの無限遠物点合焦時における軸外光束のコマ収差を示す図であり、（a）は広角端、（b）は中間、（c）は望遠端での状態を示している。
【図１３】本発明の実施例５にかかるズームレンズの（ａ）は広角端、（ｂ）は中間、（ｃ）は望遠端における無限遠物点合焦時の光学構成を示す光軸に沿う断面図である。
【図１４】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１５】実施例５にかかるズームレンズの無限遠物点合焦時における軸外光束のコマ収差を示す図であり、（a）は広角端、（b）は中間、（c）は望遠端での状態を示している。
【図１６】本発明の実施例６にかかるズームレンズの（ａ）は広角端、（ｂ）は中間、（ｃ）は望遠端における無限遠物点合焦時の光学構成を示す光軸に沿う断面図である。
【図１７】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１８】実施例６にかかるズームレンズの無限遠物点合焦時における軸外光束のコマ収差を示す図であり、（a）は広角端、（b）は中間、（c）は望遠端での状態を示している。
【図１９】本発明によるズーム光学系を組み込んだデジタルカメラ４０の外観を示す前方斜視図である。
【図２０】デジタルカメラ４０の後方斜視図である。
【図２１】デジタルカメラ４０の光学構成を示す断面図である。
【図２２】本発明のズーム光学系が対物光学系として内蔵された情報処理装置の一例であるパソコン３００のカバーを開いた状態の前方斜視図である。
【図２３】パソコン３００の撮影光学系３０３の断面図である。
【図２４】パソコン３００の側面図である。
【図２５】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１８】
以下に、本実施形態の結像光学系をズーム光学系に適用した実施例を図面に基づいて詳細に説明する。なお、この実施例によりこの発明が限定されるものではない。なお、実施例の説明に先立ち、本実施形態の結像光学系の作用効果について説明する。
【００１９】
本実施形態の高変倍率のズーム光学系は、同等の仕様を有する先行技術による光学系に比べて全長を著しく短くし、かつ収納時に極めて薄くするよう構成している。
このために、物体側から順に、正の屈折力を有する第１レンズ群Ｇ１、負の屈折力を有しており負、負、正の順の３つのレンズ成分からなる第２レンズ群Ｇ２、正の屈折力を有する第３レンズ群Ｇ３、正の屈折力を有する第４レンズ群Ｇ４の４つのレンズ群のみで構成し、
変倍時には全系の焦点距離ｆが１．４ｆｗ以上かつ２．０ｆｗ以下を満たすいずれかの値のときに、第１レンズ群Ｇ１が広角端のときよりも物体側に位置するように移動するズーム光学系を採用している。
【００２０】
このように、第１レンズ群Ｇ１は正の屈折力、第２レンズ群Ｇ２は負の屈折力、第３レンズ群Ｇ３は正の屈折力、第４レンズ群Ｇ４は正の屈折力という４つのレンズ群にて構成する場合、近軸配置的に見て高変倍率に有利であると同時に、収納時の薄型化のためにレンズ成分を極限まで減らしても、かなり高いレベルの結像性能を確保しやすい。
【００２１】
また、全系の焦点距離ｆが１．４ｆｗ以上かつ２．０ｆｗ以下を満たすいずれかの値のとき、第１レンズ群Ｇ１が広角端のときよりも物体側に位置するように移動するようにしている。これにより、特に、全長を短縮した設計のときの広角端から少しだけ長い焦点距離において発生しやすいコマ収差やメリジオナル像面湾曲の補正および第１レンズ群の径の小型化を行ないやすい。
【００２２】
また、第１レンズ群Ｇ１を１つのレンズ成分、又は、第３レンズ群Ｇ３を２つのレンズ成分、又は、第４レンズ群Ｇ４は１つのレンズ成分にて構成すると良い。しかしながら、さらに全長を短くする条件、あるいは収納時に薄くする条件で光学設計すると、変倍をつかさどる第２レンズ群Ｇ２の屈折力を高めなくてはならない。一方、第２レンズ群Ｇ２の屈折力を高めようとすると、色収差が大きくなる。そこで、本実施形態においては、さらに第２レンズ群Ｇ２のいずれかの負レンズ成分に以下の条件を満たすレンズＬAを接合している。
【００２３】
つまり、レンズＬAは、以下の条件を満足している。
横軸をνd(LA)、及び縦軸をθgF(LA)とする直交座標系において、
θgF(LA)＝αgF×νd(LA)＋βgF(LA)（但し、αgF＝−０．００５６６）
で表される直線を設定したときに、以下の条件式（１）の範囲の下限値であるときの直線、及び上限値であるときの直線で定まる領域と、
横軸をνd(LA)、及び縦軸をｎd(LA)とする直交座標系において、
ｎd(LA) ＝ａ×νd(LA)＋ｂ(LA)（但し、ａ＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、θgF及びｎd及びνdが含まれることを特徴としている。
０．７７００＜βgF(LA)＜０．８７００  …（１）
２．０＜ｂ(LA)＜２．４    （但し、ｎd(LA)  ＞  １．３）  …（２）
１０＜νd(LA)＜３５                  …（３）  
ここで、
θgF(LA)は前記レンズＬAの部分分散比（ｎg(LA)−ｎF(LA)）／（ｎF(LA)−ｎC(LA)）、
νd(LA)は前記レンズＬAのアッベ数（ｎd(LA)−1）／（ｎF(LA)−ｎC(LA)）、
ｎd(LA)、ｎC(LA)、ｎF(LA)、ｎg(LA)はレンズＬAの各々ｄ線、Ｃ線、Ｆ線、ｇ線の屈折率をそれぞれ表す。
【００２４】
条件式（１）はレンズＬAの硝材の部分分散比θgFに関するものである。
条件式（１）の下限値を下回る硝材をレンズＬAに用いた場合、望遠側における二次スペクトルによる軸上色収差つまりＦ線とＣ線で色消しをしたときのｇ線の軸上色収差の補正が十分でなくなる。そのため、特に望遠側の撮像で得た画像において、画面全体に亘り鮮鋭さを確保しづらい。
一方、条件式（１）の上限値を上回ると、硝材をレンズＬAに用いた場合、広角側における二次スペクトルによる倍率色収差つまりＦ線とＣ線で色消しをしたときのｇ線の倍率色収差の補正が十分でなくなる。そのため、特に広角側の撮像で得た画像において、画面周辺部の鮮鋭さを確保しづらい。
【００２５】
条件式（２）はレンズＬAの硝材の屈折率に関するものである。
条件式（２）の上限値を上回る硝材を用いた場合、レンズＬAを用いたレンズ群としてのペッツバール和が大きくなりやすく、結像光学系全体としての像面湾曲量の補正がしづらい。
一方、条件式（２）の下限値を下回る硝材を用いた場合、レンズＬAを用いたレンズ群としての球面収差、コマ収差、メリジオナル像面湾曲が大きくなりやすく、結像光学系全体としての球面収差、コマ収差、メリジオナル像面湾曲の補正がしづらくなる。
【００２６】
条件式（３）はレンズＬAの硝材のアッベ数に関するものである。
条件式（３）の上限値を上回る硝材を用いた場合、そもそもＦ線とＣ線との色消し自体が困難となり好ましくない。
条件式（３）の下限値を下回る硝材を用いた場合、Ｆ線とＣ線との色消しが出来たとしても、ザイデルの５収差に対する補正効果が少なくなる。
【００２７】
なお、条件式（１）に代えて、次の条件式（１’）を満足すると、より好ましい。
０．７８００＜βgF1＜０．８５００      …（１’）
さらに、条件式（１）に代えて、次の条件式（１”）を満足すると、より一層好ましい。
０．７９００＜βgF1＜０．８３００      …（１”）
【００２８】
なお、条件式（２）に代えて、次の条件式（２’）を満足すると、より好ましい。
２．０４＜ｂ1＜２．３４  （但し、ｎd1＞１．３）      …（２’）
さらに、条件式（２）に代えて、次の条件式（２”）を満足すると、より一層好ましい。
２．０８＜ｂ1＜２．２８  （但し、ｎd1＞１．３）      …（２”）
【００２９】
なお、条件式（３）に代えて、次の条件式（３’）を満足すると、より好ましい。
１２．５＜νd1＜２８    …（３’）
さらに、条件式（３）に代えて、次の条件式（３”）を満足すると、より一層好ましい。
１４．８＜νd1＜２４    …（３”）
【００３０】
また、接合面における屈折率差は条件式（８）に示すように、できるだけ小さい方が望ましい。これにより、基準波長に関するコマ収差、メリジオナル像面湾曲、歪曲収差を悪化せずにこれらの基準波長以外の収差を補正しやすくなる。
【００３１】
本実施形態では、以下の条件を満足することが望ましい。
｜ΔｎAB｜＜０．１５    ・・・（８）
ここで、ΔｎABは、前記レンズＬAの媒質のｄ線に対する屈折率と、前記負レンズＬBの媒質のｄ線に対する屈折率との屈折率差である。
【００３２】
条件式（８）の上限値を上回ると、基準波長に関するコマ収差、メリジオナル像面湾曲、歪曲収差とこれらの基準波長以外の収差を同時に補正しづらい。
なお、条件式（８）に代えて、次の条件式（８’）を満足すると、より好ましい。
｜ΔｎAB｜＜０．１２      ・・・（８’）
さらに、条件式（８）に代えて、次の条件式（８”）を満足すると、より一層好ましい。
｜ΔｎAB｜＜０．０６      ・・・（８”）
【００３３】
また、上述したように、全長を短くする条件、あるいは収納時に薄くする条件で光学設計すると第２レンズ群Ｇ２の屈折力を高めなくてはならない。その屈折力を得るために、第２レンズ群Ｇ２の最も物体側の負レンズ成分Ｌ21を構成する負レンズの媒質の屈折率ｎ21を以下の条件とするのがよい。
【００３４】
本実施形態では、第２レンズ群Ｇ２の最も物体側の負レンズ成分Ｌ21を構成する負レンズの媒質の屈折率ｎ21が以下の条件を満足することが望ましい。
ｎ21＞１．８５      ・・・（９）
条件式（９）の下限値を下回ると、特に広角側におけるコマ収差、メリジオナル像面湾曲、歪曲収差が悪化しやすい。
【００３５】
また、本実施形態は、第２レンズ群Ｇ２の最も物体側の負レンズ成分Ｌ21の形状ファクターが以下の条件を満足することが望ましい。
０．１＜（ｒ21a＋ｒ21b）／（ｒ21a−ｒ21b）＜１．７    ・・・（１０）
ここで、
ｒ21aは、前記負レンズ成分Ｌ21の最も物体側の面の光軸上における曲率半径、
ｒ21bは、前記負レンズ成分Ｌ21の最も像側の面の光軸上における曲率半径、
である。
【００３６】
条件式（１０）の下限値を下回ると、特に広角側におけるコマ収差、メリジオナル像面湾曲、歪曲収差が悪化しやすい。
条件式（１０）の上限値を上回ると、第１レンズ群Ｇ１の径が大きくなりやすくなること、あるいは第２レンズ群Ｇ２が厚くなりやすくなることで薄型化には適さない。
【００３７】
なお、条件式（１０）に代えて、次の条件式（１０’）を満足すると、より好ましい。
０．５＜（ｒ21a＋ｒ21b）／（ｒ21a−ｒ21b）＜１．４      ・・・（１０’）
さらに、条件式（１０）に代えて、次の条件式（１０”）を満足すると、より一層好ましい。
０．９＜（ｒ21a＋ｒ21b）／（ｒ21a−ｒ21b）＜１．１      ・・・（１０”）
【００３８】
また、前記第２レンズ群Ｇ２の最も像側の正レンズ成分Ｌ23を構成する正レンズは広角側の倍率色収差の補正という点で極力高分散、つまり以下の条件式（１３）を満足することが望ましい。
【００３９】
このため、本実施形態では、第２レンズ群Ｇ２の最も像側の正レンズ成分Ｌ23を構成する正レンズが以下の条件式（１３）を満足することが望ましい。
１０＜ν23＜１９    ・・・（１３）
ここで、
ν23は前記レンズ成分Ｌ23を構成する正レンズの媒質のｄ線基準のアッベ数（ｎd(L23)−1）／（ｎF(L23)−ｎC(L23)）、
ｎd(L23)、ｎC(L23)、ｎF(L23)、ｎg(L23)は、それぞれ前記レンズ成分Ｌ23の各々ｄ線、Ｃ線、Ｆ線、ｇ線の屈折率、
である。
【００４０】
また、本実施形態のズームレンズを用いて全長の短縮を行なう場合、ペッツバール和が負の大きな値になりやすい。そこで、前記負レンズ成分Ｌ21を構成する負レンズと前記正レンズ成分Ｌ23を構成する正レンズが以下の条件式（１４）を満足することが望ましい。
【００４１】
このため、本実施形態は、前記第２レンズ群Ｇ２の最も物体側の負レンズ成分Ｌ21を構成する負レンズと、像側の正レンズ成分Ｌ23を構成する正レンズとが以下の条件式（１４）を満足することが望ましい。
−０．４０＜ｎ23−ｎ21＜０．１０    ・・・（１４）
ここで、
ｎ21は前記レンズ成分Ｌ21を構成する負レンズの媒質のｄ線の屈折率、
ｎ23は前記レンズ成分Ｌ23を構成する正レンズの媒質のｄ線の屈折率、
である。
【００４２】
条件式（１４）の上限値を上回るとペッツバール和が負値をとりやすくなってしまう。条件式（１４）の下限値を下回るとレンズＬ23を構成する正レンズが厚くなりやすく薄型化には適さなくなる。
【００４３】
なお、条件式（１４）に代えて、次の条件式（１４’）を満足すると、より好ましい。
−０．２５＜ｎ23−ｎ21＜０．１０      ・・・（１４’）
さらに、条件式（１４）に代えて、次の条件式（１４”）を満足すると、より一層好ましい。
−０．１０＜ｎ23−ｎ21＜０．０７      ・・・（１４”）
【００４４】
また、本実施形態では、広角端における前記結像光学系の全長が望遠端における前記結像光学系の全長の０．７５倍以下となることが望ましい。
これにより、特に、広角側の軸外収差と望遠側の画面全域の収差を良好に補正した状態での薄型化あるいは第１レンズ群Ｇ１の径の縮小化に有利である。さらに、０．７倍以下とすればなおよい。
【００４５】
また、本実施形態では、広角端から望遠端に変倍する際の第１レンズ群Ｇ１の移動量に対する第２レンズ群Ｇ２の移動量の比の絶対値が０．４以下であることが望ましい。
これにより、特に広角側の軸外と望遠側の画面全域の収差補正状況を含めた薄型化あるいは第１レンズ群Ｇ１の径の縮小化に有利である。そして、第１レンズ群Ｇ１と第２レンズ群Ｇ２とは、同じ方向に移動した方がよい。さらに、移動量の比の絶対値を０．３以下とすればなおよい。
【００４６】
また、本実施形態では、望遠端の全系焦点距離に対する第２レンズ群Ｇ２の合成焦点距離の比の絶対値が０．１５以下であることが望ましい。
特に、広角側の軸外収差と望遠側の画面全域の収差を良好に補正した状態での薄型化あるいは第１レンズ群Ｇ１の径の縮小化には有利である。さらに、比の絶対値が０．１２以下とすればなおよい。
【００４７】
また、本実施形態では、変倍時には前記結像光学系の全系の焦点距離ｆが１．４ｆｗ以上かつ２．０ｆｗ以下の任意の値のときに、前記第２レンズ群Ｇ２が広角端のときよりも物体側に位置するように移動することが望ましい。
特に、広角側の軸外収差と望遠側の画面全域の収差を良好に補正した状態での薄型化あるいは第１レンズ群Ｇ１の径の縮小化には有利である。
【００４８】
また、本実施形態では、広角端から望遠端に向けて変倍する際に、前記第３レンズ群Ｇ３は物体側のみに移動することが望ましい。
特に、広角側の軸外収差と望遠側の画面全域の収差を良好に補正した状態での薄型化あるいは第１レンズ群Ｇ１の径の縮小化には有利である。
【００４９】
また、変倍時の収差変動を少なくするには、広角端から望遠端に変倍する際に、第３レンズ群Ｇ３と第４レンズ群Ｇ４との光軸上の空気間隔が広がるように移動するのが良い。
さらに、本実施形態では、以下の条件式を満足することが望ましい。
０．２５＜D34t／ｆt＜０．５０    ・・・（１５）
ここで、
D34tは望遠端において撮影倍率の絶対値が１／５０以下となる被写体に合焦した際の前記第３レンズ群Ｇ３と前記第４レンズ群Ｇ４との光軸上の空気間隔、
ｆtは望遠端における前記結像光学系全系の焦点距離、
である。
【００５０】
条件式（１５）の下限値を下回るとコマ収差やメリジオナル像面湾曲の変動が大きくなりやすくなる。
条件式（１５）の上限値を上回ると全長短縮に不利となり薄型化がしにくくなる。
【００５１】
なお、条件式（１５）に代えて、次の条件式（１５’）を満足すると、より好ましい。
０．２５＜D34t／ｆt＜０．４２      ・・・（１５’）
さらに、条件式（１５）に代えて、次の条件式（１５”）を満足すると、より一層好ましい。
０．２５＜D34t／ｆt＜０．３８    ・・・（１５”）
【００５２】
次に、実施形態にかかる電子撮像装置について説明する。ところで、全長を短くする設計、あるいは収納時の奥行きを薄くする設計を行なう場合、軸上色収差や倍率色収差という近軸の色収差ばかりではなく、色コマ収差、色のメリジオナル像面湾曲、色の歪曲収差という高次の色収差も大きくなる傾向にある。
【００５３】
そこで、本実施形態の電子撮像装置は、
上述の結像光学系と、
前記結像光学系の結像位置の近傍に配置された電子撮像素子を有し、
前記結像光学系がズームレンズであり、
軸外の主光線高が高い第２レンズ群Ｇ２のいずれかの負レンズ成分に接合されたレンズＬAとの接合相手のレンズは負レンズＬBであり、
非球面の形状について、光軸方向をｚ、その垂直方向の高さをｈとして、
ｚ＝（ｈ2／Ｒ）／｛１＋［１−（１＋K）（ｈ／Ｒ）2］1/2｝
＋Ａ４ｈ4＋Ａ６ｈ6＋Ａ８ｈ8＋Ａ１０ｈ10      …（４）
と表し、また、光軸上の曲率を有する球面からの偏倚量を
Δｚ＝ｚ−ｈ２／Ｒ｛１＋（１−ｈ2／Ｒ2）1/2｝      …（５）
と表し、
ｚAは前記レンズＬAの空気接触面の形状であって、式（４）に従う形状、
ΔｚA は前記レンズＬAの空気接触面の偏倚量であって、式（５）に従う量、
ｚB は前記正レンズＬBの空気接触面の形状であって、式（４）に従う形状、
ΔｚBは前記正レンズＬBの空気接触面の偏倚量であって、式（５）に従う量、
ｚCは前記接合面の形状であって、式（４）に従う形状、
ΔｚCは前記接合面の偏倚量であって、式（５）に従う量、
ＲCは前記接合面の近軸曲率半径、
νd(LA)は前記レンズＬAのｄ線に対するアッベ数（ｎdA−1）／（ｎFA−ｎCA）とし、
νd(LB)は前記レンズＬBのｄ線に対するアッベ数（ｎdB−1）／（ｎFB−ｎCB）とし、
ｎdA、ｎCA、ｎFA、ｎgAは各々前記レンズＬAのｄ線、Ｃ線、Ｆ線、ｇ線に対する屈折率、
ｎdB、ｎCB、ｎFB、ｎgBは各々前記レンズＬBのｄ線、Ｃ線、Ｆ線、ｇ線に対する屈折率、
前記レンズＬAの非球面と分散に関するパラメータP(LA) を
P(LA)  ＝（ΔｚC（h） −ΔｚA（h） ）／νd(LA)
前記レンズＬBの非球面と分散に関するパラメータP(LB) を
P(LB)  ＝（ΔｚC（h） −ΔｚB（h） ）／νd(LB)
としたとき、
以下の条件（６a）または（６b）を満足することを特徴とする。
Ｒ12C≧０のとき、
-1.0e-4≦｛P(LA)−P(LB)｝／ｙ10≦+1.0e-3  〈但し、ｈ＝0.9a〉  ・・・（６a）
Ｒ12C≦０のとき、
-1.0e-3≦｛P(LA)−P(LB)｝／ｙ10≦+1.0e-4  〈但し、ｈ＝0.9a〉  ・・・（６b）
なお、aは以下の（７）式に従う量、
a＝(ｙ10 )2・log10γ／ｆw    ・・・（７）
また、式（７）において、
ｙ10は前記結像光学系の結像位置近傍に配置された電子撮像素子の有効撮像面内（撮像可能な面内）において、中心から最も遠い点までの距離（最大像高）、
ｆwは前記結像光学系の広角端における前記結像光学系全系の焦点距離、
γは前記結像光学系のズーム比（望遠端での全系焦点距離／広角端での全系焦点距離）、
である。
また、両空気接触面は球面であってもよく、
さらに、各面の面頂を原点とするため、常にｚ（０）＝０である。
【００５４】
両空気接触面の非球面は、基本的に基準波長に関するコマ収差、メリジオナル像面湾曲、歪曲収差を高次に亘って補正することを目的に導入している。しかしながら、逆に、これらの基準波長以外の収差が悪化する場合がある。そこで、接合面も非球面とし、条件式（６ａ）、（６ｂ）を満たすことで基準波長以外の収差劣化を補正している。
【００５５】
これらの条件式の値がゼロに近い側に外れる場合、前記接合面の非球面効果は不十分となる。
また、これらの条件式の値の絶対値が大きい側に外れる場合、基準波長に関するコマ収差、メリジオナル像面湾曲、歪曲収差が却って悪化しやすい。
【００５６】
また、本実施形態では、非球面の形状について、光軸方向をｚ、その垂直方向の高さをｈとして、
ｚ＝（ｈ2／Ｒ）／｛１＋［１−（１＋K）（ｈ／Ｒ）2］1/2｝
＋Ａ４ｈ4＋Ａ６ｈ6＋Ａ８ｈ8＋Ａ１０ｈ10      …（４）
と表し、また、光軸上の曲率を有する球面からの偏倚量を
Δｚ＝ｚ−ｈ２／Ｒ｛１＋（１−ｈ2／Ｒ2）1/2｝      …（５）
と表したとき、
前記各レンズ成分の最も像側の面の偏倚量と、最も物体側の面との偏倚量との差ΔASPは、
ΔASP＝Δｚb−Δｚa    ・・・（１１）
と表せる。
但し、
Δｚaは前記レンズ成分の最も物体側の面の球面からの偏倚量、
Δｚbは前記レンズ成分の最も像側の面の球面からの偏倚量、
また、前記第２レンズ群Ｇ２の最も物体側の負レンズ成分Ｌ21と物体側から2番目の負レンズ成分Ｌ22とが、ｈ＝0.9aにおいて以下の条件を満足することが望ましい。
ΔASP22(ｈ)＜ΔASP21(ｈ)    ・・・（１２）
ここで、
ΔASP21は、前記負レンズ成分Ｌ21の最も像側の面の光軸上で前記最も像側の面と同じ曲率を有する球面からの偏倚量と、最も物体側の面の光軸上で前記最も物体側の面と同じ曲率を有する球面からの偏倚量との差、
ΔASP22は、前記負レンズ成分Ｌ22の最も像側の面の光軸上で前記最も像側の面と同じ曲率を有する球面からの偏倚量と、最も物体側の面の光軸上で前記最も物体側の面と同じ曲率を有する球面からの偏倚量との差、
なお、
a＝(ｙ10 )2・log10 γ／ ｆw    ・・・（７）
である。
【００５７】
これらの非球面は、広角側におけるコマ収差、メリジオナル像面湾曲、歪曲収差の補正に効果的である。条件式（１２）を満たした方がより効果的である。条件式（１２）の関係を外れると、これらの収差補正効果が少なくなると同時に、第１レンズ群Ｇ１の径が大きくなりやすく、薄型化に適さなくなる。
また、条件式（１２）を満たす場合は、ΔASP21(ｈ)＝０  でもよい。
【００５８】
また、本実施形態では、
ズームレンズが、無限遠物点合焦時に以下の条件式（Ｉ）を満足することを特徴とする。
０．７０＜ｙ07／（ｆｗ・ｔａｎω07w）＜０．９７  …(Ｉ)
但し、ｙ07は前記電子撮像素子の有効撮像面内（撮像可能な面内）で中心から最も遠い点までの距離（最大像高）をｙ10としたときｙ07＝０．７ｙ10で表され、ω07wは広角端における前記撮像面上の中心からｙ07の位置に結ぶ像点に対応する物点方向の光軸に対する角度、ｆｗは広角端における前記結像光学系の全系の焦点距離である。
【００５９】
条件式（Ｉ）はズーム広角端における樽型歪曲の度合いを規定したものである。条件式（Ｉ）を満足すれば、光学系を肥大化させずに、広い画角の情報を取り込むことが可能となる。なお、樽型に歪んだ像は撮像素子にて光電変換されて、樽型に歪んだ画像データとなる。
【００６０】
（実施例）
以下、ズームレンズに関する６つの実施例を示す。いずれも、ズーム比が９．６倍以上、広角端半画角が４０度以上で、かつ望遠端における望遠比で１．０以下を実現している。
【００６１】
本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００６２】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
また、非点収差（ＡＳ）については、全波長について記載している。このため、波長の区別ができていない。ここで、非点収差（ＡＳ）の各波長の縦軸値ゼロの収差値（横軸値）は球面収差（ＳＡ）の対応する波長の収差値と同じである。このため、非点収差（ＡＳ）については、球面収差（ＳＡ）を参照することで波長の区別が可能である。
図３は実施例１にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【００６３】
実施例１のズームレンズは、図１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。なお、以下全ての実施例において、レンズ断面図中、ＬＰＦはローパスフィルター、ＣＧはカバーガラス、Ｉは電子撮像素子の撮像面を示している。
【００６４】
第１レンズ群Ｇ１は、物体側より順に、物体側に凸面を向けた負メニスカスレンズＬ１と両凸正レンズＬ２との接合レンズで構成されており、全体で正の屈折力を有している。
【００６５】
第２レンズ群Ｇ２は、物体側より順に、両凹負レンズＬ３と、像面側に凸面を向けた正メニスカスレンズＬ４と両凹負レンズＬ５と物体側に凸面を向けた正メニスカスレンズＬ６との接合レンズと、で構成されており、全体で負の屈折力を有している。
【００６６】
正メニスカスレンズＬ４はレンズＬA、両凹負レンズＬ５はレンズＬBに対応する。
【００６７】
第３レンズ群Ｇ３は、両凸正レンズＬ７と、両凸正レンズＬ８と両凹負レンズＬ９との接合レンズと、で構成されており、全体で正の屈折力を有している。
【００６８】
第４レンズ群Ｇ４は、両凸正レンズＬ１０で構成されており、全体で正の屈折力を有している。
【００６９】
広角端から望遠端へと変倍する際には、第１レンズ群Ｇ１は物体側へ移動する。第２レンズ群Ｇ２は、物体側に向かって凸形状の軌跡でやや物体側へ移動する。第３レンズ群Ｇ３は物体側へ移動する。第４レンズ群Ｇ４は像面側へ移動する。
【００７０】
非球面は、第１レンズ群Ｇ１の両凸正レンズＬ２の像側面と、第２レンズ群Ｇ２の正メニスカスレンズＬ４の両面と、両凹負レンズＬ５の像面側の面と、第３レンズ群Ｇ３の両凸正レンズＬ７の両面と、第４レンズ群Ｇ４の両凸正レンズＬ１０の両面との８面に設けられている。
【００７１】
次に、本発明の実施例２にかかるズームレンズについて説明する。図４は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００７２】
図５は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
図６は実施例２にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【００７３】
実施例２のズームレンズは、図４に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【００７４】
第１レンズ群Ｇ１は、物体側より順に、物体側に凸面を向けた負メニスカスレンズＬ１と両凸正レンズＬ２との接合レンズで構成されており、全体で正の屈折力を有している。
【００７５】
第２レンズ群Ｇ２は、物体側より順に、両凹負レンズＬ３と、像面側に凸面を向けた正メニスカスレンズＬ４と両凹負レンズＬ５と物体側に凸面を向けた正メニスカスレンズＬ６との接合レンズと、で構成されており、全体で負の屈折力を有している。
【００７６】
正メニスカスレンズＬ４はレンズＬA、両凹負レンズＬ５はレンズＬBに対応する。
【００７７】
第３レンズ群Ｇ３は、両凸正レンズＬ７と、両凸正レンズＬ８と両凹負レンズＬ９との接合レンズと、で構成されており、全体で正の屈折力を有している。
【００７８】
第４レンズ群Ｇ４は、両凸正レンズＬ１０で構成されており、全体で正の屈折力を有している。
【００７９】
広角端から望遠端へと変倍する際には、第１レンズ群Ｇ１は物体側へ移動する。第２レンズ群Ｇ２は、物体側に向かって凸形状の軌跡でやや物体側へ移動する。第３レンズ群Ｇ３は物体側へ移動する。第４レンズ群Ｇ４は像面側へ移動する。
【００８０】
非球面は、第１レンズ群Ｇ１の両凸正レンズＬ２の像側面と、第２レンズ群Ｇ２の正メニスカスレンズＬ４の両面と、両凹負レンズＬ５の像面側の面と、第３レンズ群Ｇ３の両凸正レンズＬ７の両面と、第４レンズ群Ｇ４の両凸正レンズＬ１０の両面との８面に設けられている。
【００８１】
次に、本発明の実施例３にかかるズームレンズについて説明する。図７は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００８２】
図８は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
図９は実施例３にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【００８３】
実施例３のズームレンズは、図７に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【００８４】
第１レンズ群Ｇ１は、物体側より順に、物体側に凸面を向けた負メニスカスレンズＬ１と両凸正レンズＬ２との接合レンズで構成されており、全体で正の屈折力を有している。
【００８５】
第２レンズ群Ｇ２は、物体側より順に、両凹負レンズＬ３と、像面側に凸面を向けた正メニスカスレンズＬ４と両凹負レンズＬ５と物体側に凸面を向けた正メニスカスレンズＬ６との接合レンズと、で構成されており、全体で負の屈折力を有している。
【００８６】
正メニスカスレンズＬ４はレンズＬA、両凹負レンズＬ５はレンズＬBに対応する。
【００８７】
第３レンズ群Ｇ３は、両凸正レンズＬ７と、両凸正レンズＬ８と両凹負レンズＬ９との接合レンズと、で構成されており、全体で正の屈折力を有している。
【００８８】
第４レンズ群Ｇ４は、両凸正レンズＬ１０で構成されており、全体で正の屈折力を有している。
【００８９】
広角端から望遠端へと変倍する際には、第１レンズ群Ｇ１は物体側へ移動する。第２レンズ群Ｇ２は、物体側に向かって凸形状の軌跡でやや物体側へ移動する。第３レンズ群Ｇ３は物体側へ移動する。第４レンズ群Ｇ４は像面側へ移動する。
【００９０】
非球面は、第１レンズ群Ｇ１の両凸正レンズＬ２の像側面と、第２レンズ群Ｇ２の正メニスカスレンズＬ４の両面と、両凹負レンズＬ５の像面側の面と、第３レンズ群Ｇ３の両凸正レンズＬ７の両面と、第４レンズ群Ｇ４の両凸正レンズＬ１０の両面との８面に設けられている。
【００９１】
次に、本発明の実施例４にかかるズームレンズについて説明する。図１０は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００９２】
図１１は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
図１２は実施例４にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【００９３】
実施例４のズームレンズは、図１０に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【００９４】
第１レンズ群Ｇ１は、物体側より順に、物体側に凸面を向けた負メニスカスレンズＬ１と両凸正レンズＬ２との接合レンズで構成されており、全体で正の屈折力を有している。
【００９５】
第２レンズ群Ｇ２は、物体側より順に、両凹負レンズＬ３と、像面側に凸面を向けた正メニスカスレンズＬ４と両凹負レンズＬ５と物体側に凸面を向けた正メニスカスレンズＬ６との接合レンズと、で構成されており、全体で負の屈折力を有している。
【００９６】
正メニスカスレンズＬ４はレンズＬA、両凹負レンズＬ５はレンズＬBに対応する。
【００９７】
第３レンズ群Ｇ３は、両凸正レンズＬ７と、両凸正レンズＬ８と両凹負レンズＬ９との接合レンズと、で構成されており、全体で正の屈折力を有している。
【００９８】
第４レンズ群Ｇ４は、両凸正レンズＬ１０で構成されており、全体で正の屈折力を有している。
【００９９】
広角端から望遠端へと変倍する際には、第１レンズ群Ｇ１は物体側へ移動する。第２レンズ群Ｇ２は、物体側に向かって凸形状の軌跡でやや物体側へ移動する。第３レンズ群Ｇ３は物体側へ移動する。第４レンズ群Ｇ４は像面側へ移動する。
【０１００】
非球面は、第１レンズ群Ｇ１の両凸正レンズＬ２の像側面と、第２レンズ群Ｇ２の正メニスカスレンズＬ４の両面と、両凹負レンズＬ５の像面側の面と、第３レンズ群Ｇ３の両凸正レンズＬ７の両面と、第４レンズ群Ｇ４の両凸正レンズＬ１０の両面との８面に設けられている。
【０１０１】
次に、本発明の実施例５にかかるズームレンズについて説明する。図１３は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０２】
図１４は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
図１５は実施例５にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【０１０３】
実施例５のズームレンズは、図１３に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１０４】
第１レンズ群Ｇ１は、物体側より順に、物体側に凸面を向けた負メニスカスレンズＬ１と両凸正レンズＬ２との接合レンズで構成されており、全体で正の屈折力を有している。
【０１０５】
第２レンズ群Ｇ２は、物体側より順に、両凹負レンズＬ３と物体側に凸面を向けた正メニスカスレンズＬ４との接合レンズと、両凹負レンズＬ５と、両凸正レンズＬ６と、で構成されており、全体で負の屈折力を有している。
【０１０６】
両凹負レンズＬ３はレンズＬB、正メニスカスレンズＬ４はレンズＬAに対応する。
【０１０７】
第３レンズ群Ｇ３は、両凸正レンズＬ７と、両凸正レンズＬ８と両凹負レンズＬ９との接合レンズと、で構成されており、全体で正の屈折力を有している。
【０１０８】
第４レンズ群Ｇ４は、両凸正レンズＬ１０で構成されており、全体で正の屈折力を有している。
【０１０９】
広角端から望遠端へと変倍する際には、第１レンズ群Ｇ１は物体側へ移動する。第２レンズ群Ｇ２は、物体側に向かって凸形状の軌跡でやや物体側へ移動する。第３レンズ群Ｇ３は物体側へ移動する。第４レンズ群Ｇ４は像面側へ移動する。
【０１１０】
非球面は、第１レンズ群Ｇ１の両凸正レンズＬ２の像側面と、第２レンズ群Ｇ２の正メニスカスレンズＬ４の像側の面と、両凹負レンズＬ５の両面と、第３レンズ群Ｇ３の両凸正レンズＬ７の両面と、第４レンズ群Ｇ４の両凸正レンズＬ１０の両面との８面に設けられている。
【０１１１】
次に、本発明の実施例６にかかるズームレンズについて説明する。図１６は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１２】
図１７は実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
図１８は実施例６にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【０１１３】
実施例６のズームレンズは、図１６に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１１４】
第１レンズ群Ｇ１は、物体側より順に、物体側に凸面を向けた負メニスカスレンズＬ１と両凸正レンズＬ２との接合レンズで構成されており、全体で正の屈折力を有している。
【０１１５】
第２レンズ群Ｇ２は、物体側より順に、両凹負レンズＬ３と物体側に凸面を向けた正メニスカスレンズＬ４との接合レンズと、両凹負レンズＬ５と、両凸正レンズＬ６と、で構成されており、全体で負の屈折力を有している。
【０１１６】
両凹負レンズＬ３はレンズＬB、正メニスカスレンズＬ４はレンズＬAに対応する。
【０１１７】
第３レンズ群Ｇ３は、両凸正レンズＬ７と、両凸正レンズＬ８と両凹負レンズＬ９との接合レンズと、で構成されており、全体で正の屈折力を有している。
【０１１８】
第４レンズ群Ｇ４は、両凸正レンズＬ１０で構成されており、全体で正の屈折力を有している。
【０１１９】
広角端から望遠端へと変倍する際には、第１レンズ群Ｇ１は物体側へ移動する。第２レンズ群Ｇ２は、物体側へ移動した後、反転して像面側へ移動している。第３レンズ群Ｇ３は物体側へ移動する。第４レンズ群Ｇ４は像面側へ移動する。
【０１２０】
非球面は、第１レンズ群Ｇ１の両凸正レンズＬ２の像側面と、第２レンズ群Ｇ２の両凹負レンズＬ５の両面と、第３レンズ群Ｇ３の両凸正レンズＬ７の両面と、第４レンズ群Ｇ４の両凸正レンズＬ１０の両面との７面に設けられている。
【０１２１】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０１２２】
また、非球面形状は、光軸方向をｚ、光軸に直交する方向をｈにとり、円錐係数をＫ、非球面係数をＡ４、Ａ６、Ａ８、Ａ１０としたとき、次の式（ＩＩ）で表される。
ｚ＝（ｈ2／ｒ）／［１＋｛１−（１＋Ｋ）（ｈ／ｒ）2｝1/2］
＋Ａ４ｈ4＋Ａ６ｈ6＋Ａ８ｈ8＋Ａ１０ｈ10  …（ＩＩ）
また、Ｅは１０のべき乗を表している。なお、これら諸元値の記号は後述の実施例の数値データにおいても共通である。
【０１２３】
数値実施例１
単位ｍｍ
面データ
面番号    r             d           nd           νd          ER
物面      ∞           ∞
1       14.2779       0.8000      1.94595        17.98       6.783
2       11.5410       2.8000      1.62263        58.16       6.167
3*    -228.5759       可変                                   5.800
4     -265.9692       0.7000      1.88300        40.76       4.459
5        5.3177       1.8000                                 3.356
6*     -13.0844       0.4000      1.63387        23.38       3.275
7*      -7.8355       0.7000      1.74320        49.34       3.260
8*      35.2143       0.1000                                 3.098
9       14.5538       1.1000      1.94595        17.98       3.070
10     112.6530       可変                                   2.900
11(絞り)  ∞         -0.3000                                 1.968
12*      4.0901       1.6000      1.58313        59.38       2.016
13*    -11.8853       0.1000                                 1.906
14       5.5680       1.2500      1.49700        81.54       1.772
15     -13.9301       0.3000      1.64769        33.79       1.549
16       2.8346       可変                                   1.400
17*     32.6207       2.0000      1.53071        55.69       2.479
18*     -9.9912       可変                                   2.796
19        ∞          0.3000      1.51633        64.14       3.546
20        ∞          0.5000                                 3.581
21        ∞          0.5000      1.51633        64.14       3.668
22        ∞          0.5500                                 3.726
像面（撮像面）∞
非球面データ
第３面
K=0.
A2=0.0000E+00,A4=2.7375E-05,A6=-1.1386E-07,A8=1.6511E-09,A10=-1.2099E-11
第６面
K=0.
A2=0.0000E+00,A4=-5.5361E-04,A6=7.5826E-05,A8=-1.1286E-06,A10=1.4927E-08
第７面
K=0.
A2=0.0000E+00,A4=-5.5361E-04,A6=7.5826E-05,A8=-1.1286E-06,A10=1.4927E-08
第８面
K=1.7602
A2=0.0000E+00,A4=-6.6336E-04,A6=7.1464E-05,A8=-6.4046E-07,A10=0.0000E+00
第１２面
K=-0.1976
A2=0.0000E+00,A4=-1.1247E-03,A6=-9.3766E-05,A8=1.5576E-05,A10=-1.0650E-06
第１３面
K=-0.9426
A2=0.0000E+00,A4=8.2880E-04,A6=-3.1195E-05,A8=3.7545E-06,A10=0.0000E+00
第１７面
K=0.
A2=0.0000E+00,A4=1.0094E-04,A6=0.0000E+00,A8=0.0000E+00,A10=0.0000E+00
第１８面
K=-0.4994
A2=0.0000E+00,A4=1.4365E-04,A6=-3.8334E-06,A8=6.6176E-08,A10=5.6602E-11
各種データ
広角        中間        望遠
FL              4.93647     14.62039    47.88303
Fno             3.0972       5.0511      6.2000
ω             41.8°       14.9°       4.69° 
像高            3.83         3.83        3.83   
BF              0.04996      0.08890     0.02156
レンズ全長     31.7257      41.2639     47.5661  
d3              0.30000      5.80878    12.10451
d10             9.25638      5.30904     0.70000
d16             3.07441     12.37258    17.12603
d18             3.89498      2.53462     2.46396
G     始面      焦点距離   
1      1        24.11541     
2      4        -5.02047      
3     11         8.24878     
4     17        14.65040      
〔硝材屈折率テーブル〕・・・ 本実施例にて使用した媒質の波長別屈折率一覧
GLA                         587.56   656.27   486.13   435.84   404.66
L10                        1.530710 1.527870 1.537400 1.542740 1.547272
L1,L6                      1.945950 1.931230 1.983830 2.018247 2.051060
Ll2                        1.622630 1.619350 1.630050 1.635825 1.640604
L4                         1.633870 1.626381 1.653490 1.671610 1.688826
L7                         1.583126 1.580139 1.589960 1.595296 1.599721
L11,L12                    1.516330 1.513855 1.521905 1.526213 1.529768
L8                         1.496999 1.495136 1.501231 1.504506 1.507205
L3                         1.882997 1.876560 1.898221 1.910495 1.920919
L5                         1.743198 1.738653 1.753716 1.762046 1.769040 
L9                         1.647689 1.642096 1.661263 1.672644 1.682687
【０１２４】
数値実施例２
単位ｍｍ
面データ
面番号    r             d           nd           νd          ER
物面      ∞           ∞
1       14.7928       0.8000      1.94595        17.98       6.833
2       12.1039       2.8000      1.62263        58.16       6.237
3*    -173.1116       可変                                   5.800
4     -248.5365       0.7000      2.00330        28.27       4.416
5        6.1371       1.7000                                 3.464
6*     -13.3332       0.4000      1.63387        23.38       3.408 
7*      -9.5704       0.7000      1.59201        67.02       3.383 
8*       9.1307       0.1000                                 3.146
9       10.1028       1.4000      1.94595        17.98       3.146
10      98.4942       可変                                   3.000
11(絞り)  ∞         -0.3000                                 2.014
12*      3.9636       1.6000      1.58313        59.38       2.041
13*    -12.3118       0.1000                                 1.923
14       5.4964       1.2500      1.49700        81.54       1.779
15      -8.6380       0.3000      1.64769        33.79       1.559
16       2.7791       可変                                   1.400
17*     39.2860       2.0000      1.53071        55.69       2.358
18*     -9.7076       可変                                   2.695
19         ∞         0.3000      1.51633        64.14       3.522
20         ∞         0.5000                                 3.559
21         ∞         0.5000      1.51633        64.14       3.653
22         ∞         0.5500                                 3.714
像面（撮像面）∞
非球面データ
第３面
K=0.
A2=0.0000E+00,A4=2.6477E-05,A6=-1.0757E-07,A8=1.6057E-09,A10=-1.2139E-11
第６面
K=0.
A2=0.0000E+00,A4=-1.5232E-03,A6=1.4960E-04,A8=-4.0342E-06,A10=1.9123E-08
第７面
K=0.
A2=0.0000E+00,A4=-1.5232E-03,A6=1.4960E-04,A8=-4.0342E-06,A10=1.9123E-08
第８面
K=-0.2279
A2=0.0000E+00,A4=-1.5375E-03,A6=1.5001E-04,A8=-3.8370E-06,A10=0.0000E+00
第１２面
K=-0.1968
A2=0.0000E+00,A4=-9.5593E-04,A6=-1.1512E-04,A8=1.7502E-05,A10=-1.7590E-07
第１３面
K=-0.9046
A2=0.0000E+00,A4=1.0060E-03,A6=-7.6298E-05,A8=1.6424E-05,A10=0.0000E+00
第１７面
K=0.
A2=0.0000E+00,A4=1.4848E-04,A6=0.0000E+00,A8=0.0000E+00,A10=0.0000E+00
第１８面
K=-0.4384
A2=0.0000E+00,A4=2.4449E-04,A6=-1.0730E-05,A8=3.6248E-07,A10=-4.3690E-09
各種データ
広角        中間        望遠
FL              4.94583     14.61960    47.88374
Fno             3.0876       5.0223      6.2000
ω             41.7°       14.9°       4.69° 
像高            3.83         3.83        3.83   
BF              0.04973      0.09505     0.02046
レンズ全長     32.0460      41.4062     47.5809   
d3             0.30000      5.82264     12.14189
d10            9.54881      5.49946      0.70000
d16            2.76690     12.10400     16.90417
d18            4.03059      2.53504      2.46434
G     始面      焦点距離   
1      1        24.26971  
2      4        -5.15551 
3     11         8.34645 
4     17        14.87797    
〔硝材屈折率テーブル〕・・・ 本実施例にて使用した媒質の波長別屈折率一覧
GLA                PROP     587.56   656.27   486.13   435.84   404.66
L10                        1.530710 1.527870 1.537400 1.542740 1.547272
L1,L6                      1.945950 1.931230 1.983830 2.018247 2.051060
L2                         1.622630 1.619350 1.630050 1.635825 1.640604
L8                         1.592014 1.589309 1.598142 1.602875 1.606771
L4                         1.633870 1.626381 1.653490 1.671610 1.688826 
L7                         1.583126 1.580139 1.589960 1.595296 1.599721
L11,L12                    1.516330 1.513855 1.521905 1.526213 1.529768
L8                         1.496999 1.495136 1.501231 1.504506 1.507205
L3                         2.003300 1.993011 2.028497 2.049714 2.068441
L9                         1.647689 1.642096 1.661263 1.672644 1.682687
【０１２５】
数値実施例３
単位ｍｍ
面データ
面番号    r             d           nd           νd          ER
物面      ∞           ∞
1       13.3341       0.8000      1.94595        17.98       6.245
2       10.8940       2.7000      1.62263        58.16       5.661
3*    -305.6641       可変                                   5.300
4      317.9327       0.7000      2.00330        28.27       3.840
5        5.0802       1.5000                                 2.948
6*     -13.8217       0.4500      1.71003        14.57       2.873  
7*      -6.9048       0.7000      1.76802        49.24       2.860  
8*      43.3397       0.1000                                 2.750
9       20.2634       1.1000      1.94595        17.98       2.717
10    -140.0843       可変                                   2.600
11(絞り)  ∞         -0.3000                                 1.990
12*      4.0928       1.6000      1.58313        59.38       2.015
13*    -10.4627       0.1000                                 1.916
14       5.2723       1.2500      1.49700        81.54       1.769
15     -11.8721       0.3000      1.64769        33.79       1.540
16       2.8000       可変                                   1.400
17*     48.8428       2.0000      1.53071        55.69       2.383
18*     -9.8415       可変                                   2.721
19        ∞          0.3000      1.51633        64.14       3.524
20        ∞          0.5000                                 3.560
21        ∞          0.5000      1.51633        64.14       3.654
22        ∞          0.5000                                 3.716
23        ∞          0.0491                                 3.824
像面（撮像面）∞
非球面データ
第３面
K=0.
A2=0.0000E+00,A4=3.2830E-05,A6=-1.2550E-07,A8=1.9229E-09,A10=-1.6411E-11
第６面
K=0.
A2=0.0000E+00,A4=-1.7986E-03,A6=7.0204E-05,A8=3.1909E-06,A10=-7.1809E-08
第７面
K=0.
A2=0.0000E+00,A4=-1.7986E-03,A6=7.0204E-05,A8=3.1909E-06,A10=-7.1809E-08
第８面
K=-8.2571
A2=0.0000E+00,A4=-1.7973E-03,A6=9.3853E-05,A8=1.1334E-06,A10=0.0000E+00
第１２面
K=-0.2197
A2=0.0000E+00,A4=-1.2234E-03,A6=-7.7076E-05,A8=1.3310E-05,A10=-1.0521E-06
第１３面
K=-0.8144
A2=0.0000E+00,A4=9.2318E-04,A6=-2.9870E-05,A8=2.2139E-06,A10=0.0000E+00
第１７面
K=0.
A2=0.0000E+00,A4=1.4302E-04,A6=0.0000E+00,A8=0.0000E+00,A10=0.0000E+00
第１８面
K=-0.6160
A2=0.0000E+00,A4=4.0438E-04,A6=-3.3614E-05,A8=1.2223E-06,A10=-1.6051E-08
各種データ
広角        中間        望遠
FL              4.96101     14.60628    47.87938
Fno             3.1090       5.0309      6.2000
ω             41.7°       15.0°       4.69° 
像高            3.83         3.83        3.83   
BF              0.04906      0.05473     0.01018
レンズ全長     30.2014      39.5618     45.6836    
ｄ3            0.30000      5.63444     11.54616
ｄ10           8.23576      4.82746      0.70000
ｄ16           2.90837     11.92501     16.49143
ｄ18           3.90817      2.32013      2.13583
G     始面      焦点距離   
1      1        22.74608    
2      4        -4.60884    
3     11         7.65220    
4     17        15.61864   
〔硝材屈折率テーブル〕・・・ 本実施例にて使用した媒質の波長別屈折率一覧
GLA                PROP     587.56   656.27   486.13   435.84   404.66
L10                        1.530710 1.527870 1.537400 1.542740 1.547272
L1,L6                      1.945950 1.931230 1.983830 2.018247 2.051060
L2                         1.622630 1.619350 1.630050 1.635825 1.640604
L5                         1.768020 1.763310 1.778910 1.787509 1.794710
L4                         1.710030 1.696030 1.744770 1.779970 1.816000
L7                         1.583126 1.580139 1.589960 1.595296 1.599721
L11,L12                    1.516330 1.513855 1.521905 1.526213 1.529768
L8                         1.496999 1.495136 1.501231 1.504506 1.507205
L3                         2.003300 1.993011 2.028497 2.049714 2.068441
L9                         1.647689 1.642096 1.661263 1.672644 1.682687
【０１２６】
数値実施例４
単位ｍｍ
面データ
面番号    r             d           nd           νd          ER
物面      ∞           ∞
1       14.2875      0.8000      1.94595        17.98       6.786
2       11.5484      2.8000      1.62263        58.16       6.170
3*    -232.8431      可変                                   5.800
4     -238.8202      0.7000      1.88300        40.76       4.484
5        5.2784      1.8000                                 3.370
6*     -14.7693      0.4000      1.63387        23.38       3.306  
7*      -8.1093      0.7000      1.62263        58.16       3.297 
8*      21.2954      0.1000                                 3.089
9       13.3086      1.1000      1.94595        17.98       3.053
10      39.2244      可変                                   2.900
11(絞り)  ∞        -0.3000                                 1.968
12*      4.0947      1.6000      1.58313        59.38       1.989
13*    -11.8344      0.1000                                 1.882
14       5.5523      1.2500      1.49700        81.54       1.754
15     -14.1320      0.3000      1.64769        33.79       1.535
16       2.8507      可変                                   1.400
17*     30.5512      2.0000      1.53071        55.69       2.474
18*     -9.8600      可変                                   2.791
19        ∞         0.3000      1.51633        64.14       3.543
20        ∞         0.5000                                 3.578
21        ∞         0.5000      1.51633        64.14       3.666
22        ∞         0.5493                                 3.723
像面（撮像面）∞
非球面データ
第３面
K=0.
A2=0.0000E+00,A4=2.7129E-05,A6=-1.0976E-07,A8=1.5478E-09,A10=-1.1150E-11
第６面
K=0.
A2=0.0000E+00,A4=-1.3767E-03,A6=1.1083E-04,A8=-1.4209E-06,A10=-5.7107E-09
第７面
K=0.
A2=0.0000E+00,A4=-1.3767E-03,A6=1.1083E-04,A8=-1.4209E-06,A10=-5.7107E-09
第８面
K=-0.5971
A2=0.0000E+00,A4=-1.4947E-03,A6=1.1585E-04,A8=-1.6488E-06,A10=0.0000E+00
第１２面
K=-0.1971
A2=0.0000E+00,A4=-1.0635E-03,A6=-1.0413E-04,A8=1.9260E-05,A10=-7.6027E-07
第１３面
K=-0.9458
A2=0.0000E+00,A4=9.3799E-04,A6=-5.1300E-05,A8=1.1306E-05,A10=0.0000E+00
第１７面
K=0.
A2=0.0000E+00,A4=1.1065E-04,A6=0.0000E+00,A8=0.0000E+00,A10=0.0000E+00
第１８面
K=-0.4929
A2=0.0000E+00,A4=1.7831E-04,A6=-4.7481E-06,A8=1.1308E-07,A10=-7.2811E-10
各種データ
広角        中間        望遠
FL              4.93829     14.62156    47.88113
Fno             3.0972       5.0511      6.2000
ω             41.8°       14.9°       4.69° 
像高            3.83         3.83        3.83   
BF              0.04929      0.08865     0.02459
レンズ全長     31.4308      41.2024     47.6076
d3            0.30000      5.79982     12.11928
d10           9.04574      5.22718      0.70000
d16           3.00034     12.39976     17.14940
d18           3.88541      2.53696      2.46432
G     始面      焦点距離   
1      1        24.15758    
2      4        -4.98616  
3     11         8.17324  
4     17        14.29103   
〔硝材屈折率テーブル〕・・・ 本実施例にて使用した媒質の波長別屈折率一覧
GLA                PROP     587.56   656.27   486.13   435.84   404.66
L10                        1.530710 1.527870 1.537400 1.542740 1.547272
L1,L6                      1.945950 1.931230 1.983830 2.018247 2.051060
L5,L2                      1.622630 1.619350 1.630050 1.635825 1.640604
L4                         1.633870 1.626381 1.653490 1.671610 1.688826
L7                         1.583126 1.580139 1.589960 1.595296 1.599721
L11,L12                    1.516330 1.513855 1.521905 1.526213 1.529768
L8                         1.496999 1.495136 1.501231 1.504506 1.507205
L3                         1.882997 1.876560 1.898221 1.910495 1.920919
L9                         1.647689 1.642096 1.661263 1.672644 1.682687
【０１２７】
数値実施例５
単位ｍｍ
面データ
面番号    r             d           nd           νd          ER
物面      ∞           ∞
1       14.7113      0.8000      1.94595        17.98       6.753
2       12.0155      3.0000      1.62263        58.16       6.160
3*    -177.0594      可変                                   6.000
4     -431.8472      0.7000      2.00330        28.27       4.171 
5        4.8281      0.5000      1.63387        23.38       3.160 
6*       6.0453      1.5000                                 3.074
7*      -7.9099      0.7000      1.59201        67.02       3.046
8*      13.0593      0.1000                                 2.908
9       11.7319      1.4000      1.94595        17.98       2.910
10     -53.1368      可変                                   2.800
11(絞り)  ∞        -0.3000                                 2.007
12*      3.9598      1.6000      1.58313        59.38       2.034
13*    -11.5904      0.1000                                 1.920
14       5.3884      1.2500      1.49700        81.54       1.770
15      -8.2114      0.3000      1.64769        33.79       1.546
16       2.7636      可変                                   1.400
17*     35.4830      2.0000      1.53071        55.69       2.424
18*     -9.8364      可変                                   2.751
19        ∞         0.3000      1.51633        64.14       3.529
20        ∞         0.5000                                 3.565
21        ∞         0.5000      1.51633        64.14       3.657
22        ∞         0.5500                                 3.717
像面（撮像面）∞
非球面データ
第３面
K=0.
A2=0.0000E+00,A4=2.8175E-05,A6=-1.2995E-07,A8=1.9131E-09,A10=-1.4297E-11
第６面
K=0.
A2=0.0000E+00,A4=-1.3063E-04,A6=3.8903E-05,A8=0.0000E+00,A10=0.0000E+00
第７面
K=-0.8991
A2=0.0000E+00,A4=-7.1803E-04,A6=1.7706E-04,A8=-7.8811E-06,A10=9.0145E-08
第８面
K=0.6058
A2=0.0000E+00,A4=-5.4780E-04,A6=1.1685E-04,A8=-4.5084E-06,A10=0.0000E+00
第１２面
K=-0.1986
A2=0.0000E+00,A4=-1.0229E-03,A6=-1.1424E-04,A8=1.6280E-05,A10=-2.0348E-07
第１３面
K=-0.8456
A2=0.0000E+00,A4=1.0251E-03,A6=-7.7192E-05,A8=1.4809E-05,A10=0.0000E+00
第１７面
K=0.
A2=0.0000E+00,A4=1.5365E-04,A6=0.0000E+00,A8=0.0000E+00,A10=0.0000E+00
第１８面
K=-0.5007
A2=0.0000E+00,A4=3.1562E-04,A6=-1.6728E-05,A8=5.7457E-07,A10=-7.2516E-09
各種データ
広角        中間        望遠
FL              4.94541     14.62311    47.87924  
Fno             3.0903       5.0368      6.2000
ω             41.7°       14.9°       4.68° 
像高            3.83         3.83        3.83   
BF              0.05041      0.08358     0.02079
レンズ全長     31.5535      41.1765     47.6597
d3       0.30000      5.82161     12.20934
d10      8.95261      5.11756      0.70000
d16      2.92576     12.17301     16.88597
d18      3.87471      2.53073      2.39365
G     始面      焦点距離   
1      1        24.22508    
2      4        -4.95739   
3     11         8.08035  
4     17        14.73705   
〔硝材屈折率テーブル〕・・・ 本実施例にて使用した媒質の波長別屈折率一覧
GLA                PROP     587.56   656.27   486.13   435.84   404.66
L10                        1.530710 1.527870 1.537400 1.542740 1.547272
L1,L6                      1.945950 1.931230 1.983830 2.018247 2.051060
L2                         1.622630 1.619350 1.630050 1.635825 1.640604
L5                         1.592014 1.589309 1.598142 1.602875 1.606771
L4                         1.633870 1.626381 1.653490 1.671610 1.688826  
L7                         1.583126 1.580139 1.589960 1.595296 1.599721
L11,L12                    1.516330 1.513855 1.521905 1.526213 1.529768
L8                         1.496999 1.495136 1.501231 1.504506 1.507205
L3                         2.003300 1.993011 2.028497 2.049714 2.068441 
L9                         1.647689 1.642096 1.661263 1.672644 1.682687
【０１２８】
数値実施例６
単位ｍｍ
面データ
面番号    r             d           nd           νd          ER
物面      ∞           ∞
1       14.9992      0.8000      1.94595        17.98       7.051
2       12.0093      2.8000      1.62263        58.16       6.419
3*    -187.9068      可変                                   5.800
4     -374.2073      0.7000      2.00330        28.27       4.622 
5        5.3297      0.4000      1.71003        14.57       3.524 
6        6.1395      1.5000                                 3.459
7*     -23.4991      0.7000      1.59201        67.02       3.435
8*       7.3296      0.1000                                 3.196
9        8.0443      1.2000      1.94595        17.98       3.208
10      35.2780      可変                                   3.100
11(絞り)  ∞        -0.3000                                 1.819
12*      3.6727      1.6000      1.58313        59.38       1.830
13*    -13.1414      0.1000                                 1.686
14       5.0845      1.2500      1.49700        81.54       1.571
15      -9.9578      0.3000      1.64769        33.79       1.327
16       2.5372      可変                                   1.200
17*    106.7839      2.0000      1.53071        55.69       1.804
18*    -11.0352      可変                                   2.245
19        ∞         0.3000      1.51633        64.14       3.399
20        ∞         0.5000                                 3.451
21        ∞         0.5000      1.51633        64.14       3.585
22        ∞         0.5419                                 3.672
像面（撮像面）∞
非球面データ
第３面
K=0.
A2=0.0000E+00,A4=2.0707E-05,A6=2.3283E-08,A8=-9.3692E-10,A10=6.1100E-12
第７面
K=-3.2109
A2=0.0000E+00,A4=-3.2959E-03,A6=2.9304E-04,A8=-6.6692E-06,A10=-4.0601E-08
第８面
K=0.3245
A2=0.0000E+00,A4=-3.3977E-03,A6=3.4101E-04,A8=-1.0188E-05,A10=0.0000E+00
第１２面
K=-0.2168
A2=0.0000E+00,A4=-7.2956E-04,A6=-5.7244E-05,A8=2.2632E-05,A10=4.8080E-06
第１３面
K=-0.8548
A2=0.0000E+00,A4=1.9949E-03,A6=-1.5289E-04,A8=8.5099E-05,A10=0.0000E+00
第１７面
K=0.
A2=0.0000E+00,A4=4.9401E-05,A6=0.0000E+00,A8=0.0000E+00,A10=0.0000E+00
第１８面
K=-0.4876
A2=0.0000E+00,A4=-3.0655E-04,A6=-1.8231E-05,A8=1.0051E-06,A10=-1.7540E-08
各種データ
広角        中間        望遠
FL              4.90854     14.65149    47.87518
Fno             3.4089       5.5637      6.2000
ω             41.8°       15.3°       4.73° 
像高            3.83         3.83        3.83   
BF              0.04191      0.05488     0.02284
レンズ全長     31.2488      39.0156     43.6600
d3       0.30000      5.51040     12.96577
d10     10.13778      5.36845      0.70000
d16      1.74783     10.10623     12.62096
d18      4.07126      3.02564      2.40042
G     始面      焦点距離   
1      1        25.08821   
2      4        -5.17585   
3     11         7.73816 
4     17        18.95738   
〔硝材屈折率テーブル〕・・・ 本実施例にて使用した媒質の波長別屈折率一覧
GLA                PROP     587.56   656.27   486.13   435.84   404.66
L10                        1.530710 1.527870 1.537400 1.542740 1.547272
L1,L6                      1.945950 1.931230 1.983830 2.018247 2.051060
L2                         1.622630 1.619350 1.630050 1.635825 1.640604
L5                         1.592014 1.589309 1.598142 1.602875 1.606771
L4                         1.710030 1.696030 1.744770 1.779970 1.816000
L7                         1.583126 1.580139 1.589960 1.595296 1.599721
L11.L12                    1.516330 1.513855 1.521905 1.526213 1.529768
L8                         1.496999 1.495136 1.501231 1.504506 1.507205
L3                         2.003300 1.993011 2.028497 2.049714 2.068441  
L9                         1.647689 1.642096 1.661263 1.672644 1.682687
【０１２９】
以下、各条件式に関連した数値を掲げる。
実施例１  実施例２  実施例３  実施例４  実施例５  実施例６
ｆw (広角端)          4.936     4.946     4.961     4.938     4.945     4.909
ｆs ( 中間 )         14.620    14.620    14.606    14.622    14.623    14.651
ｆt (望遠端)         47.883    47.884    47.879    47.881    47.879    47.875
半画角ωw(広角端)    41.8°    41.7°    41.7°    41.8°    41.7°    41.8°
半画角ωs( 中間 )    14.9°    14.9°    15.0°    14.9°    14.9°    15.3°
半画角ωt(望遠端)     4.69°    4.69°    4.69°    4.69°    4.68°    4.73°
1.4fw〜2.0fw間のいずれかの焦点距離  
1.624fw   1.621fw   1.624fw   1.623fw   1.629fw   1.638fw
そのときのG1の広角端に対する移動量   
-3.743    -3.577    -3.864    -3.900    -3.939    -3.427
そのときのG2の広角端に対する移動量  
-1.855    -1.681    -1.734    -2.025    -1.725    -1.653
G1- G2 間隔           2.188     2.196     2.430     2.175     2.514     2.074
G2- G3 間隔           7.131     7.302     6.410     7.016     6.957     8.321
G3- G4 間隔           7.702     7.274     7.118     7.735     7.298     7.646
G4-フィルター間隔     3.243     3.451     3.256     3.204     3.224     1.629
ｙ10                  3.83      3.83      3.83      3.83      3.83      3.83
θgF                  0.6684    0.6684    0.7222    0.6684    0.6684    0.7222
βgF(LA)              0.8007    0.8007    0.8047    0.8007    0.8007    0.8047
ｂ(LA)                2.2581    2.2581    2.0990    2.2581    2.2581    2.0990
νd(LA)              23.38     23.38     14.57     23.38     23.38     14.57
νd(LB)              49.34     67.02     49.24     58.16     28.27     28.27
a                     2.933     2.924     2.911     2.931     2.925     2.956
ｈ(=0.9・a)           2.640     2.632     2.620     2.638     2.633     2.660
RC                   -7.8355   -9.5704   -6.9048   -8.1093    4.8281    5.3297
ΔｚA(h)             -0.00364  -0.03235  -0.05605  -0.03275   0.00668   0
ΔｚB(h)             -0.00929  -0.03469  -0.05241  -0.03759   0         0
ΔｚC(h)             -0.00364  -0.03235  -0.05605  -0.03275   0         0
ΔｚC(h)−ΔｚA(h)    0         0         0         0        -0.00668   0
ΔｚC(h)−ΔｚB(h)   +0.00565  +0.00234  -0.00364  +0.00484   0         0
P(LA)                 0         0         0         0        -2.857e-4  0
P(LB)                +1.145e-4 +0.349e-4 -0.739e-4 +0.832e-4  0         0
{P(LA)-P(LB)}/ｙ10   -0.299e-4 -0.911e-5 +0.193e-4 -0.217e-4 -0.746e-4  0
|ΔｎAB|              0.10933   0.04186   0.05799   0.01124   0.36943   0.29327
ｎ21                  1.88300   2.00330   2.00330   1.88300   2.00330   2.00330
(ｒ21a+ｒ21b)/(ｒ21a-ｒ21b) 
0.9608    0.9518    1.0325    0.9568    0.9779    0.9719
Δｚa21(ｈ)           0         0         0         0         0         0
Δｚb21(ｈ)           0         0         0         0         0.00668   0
ΔASP21(ｈ)           0         0         0         0         0.00668   0
Δｚa22(ｈ)          -0.00364  -0.03235  -0.05605  -0.03275   0.01935  -0.07710
Δｚb22(ｈ)          -0.00929  -0.03469  -0.05241  -0.03759   0.00392  -0.06876
ΔASP22(ｈ)          -0.00565  -0.00234  +0.00364  -0.00484  -0.01543  -0.00834
ν23                 17.98     17.98     17.98     17.98     17.98     17.98
ｎ23-ｎ21             0.06295  -0.05735  -0.05735   0.06295  -0.05735  -0.05735
広角端全長/望遠端全長 0.6670    0.6735    0.6611    0.6602    0.6621    0.7157
G2移動量/G1移動量     0.2548    0.2377    0.2736    0.2694    0.2606   -0.0205
G2の焦点距離/ｆt     -0.1048   -0.1077   -0.0963   -0.1041   -0.1035   -0.1081
D34t/ｆt              0.3577    0.3530    0.3443    0.3582    0.3527    0.2636
【０１３０】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１３１】
図１９〜図２１に本発明による結像光学系をデジタルカメラの撮影光学系４１に組み込んだ構成の概念図を示す。図１９はデジタルカメラ４０の外観を示す前方斜視図、図２０は同後方斜視図、図２１はデジタルカメラ４０の光学構成を示す断面図である。
【０１３２】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１３３】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１３４】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１３５】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１３６】
次に、本発明の結像光学系が対物光学系として内蔵された情報処理装置の一例であるパソコンを図２２〜図２４に示す。図２２はパソコン３００のカバーを開いた状態の前方斜視図、図２３はパソコン３００の撮影光学系３０３の断面図、図２４は図１６の側面図である。図２２〜図２４に示されるように、パソコン３００は、キーボード３０１と、情報処理手段や記録手段と、モニター３０２と、撮影光学系３０３とを有している。
【０１３７】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１３８】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１３９】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図２２には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１４０】
次に、本発明の結像光学系が撮影光学系として内蔵された情報処理装置の一例である電話、特に持ち運びに便利な携帯電話を図２５に示す。図２５（a）は携帯電話４００の正面図、図２５（b）は側面図、図２５（c）は撮影光学系４０５の断面図である。図２５（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１４１】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１４２】
ここで、モニター４０４は液晶表示素子である。また、図中、各構成の配置位置は、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１４３】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１４４】
なお、本発明は、その趣旨を逸脱しない範囲で様々な変形例をとることができる。
【産業上の利用可能性】
【０１４５】
以上のように、本発明に係る結像光学系及びそれを有する電子撮像装置は、結像光学系の高変倍率化、薄型化、及び、高性能化、並びに、電子撮像装置の薄型化に有用である。
【符号の説明】
【０１４６】
Ｇ１          第１レンズ群
Ｇ２          第２レンズ群
Ｇ３          第３レンズ群
Ｇ４          第４レンズ群
Ｌ１〜Ｌ１０        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2011186393.tif 000003
【図２】
2011186393.tif 000004
【図３】
2011186393.tif 000005
【図４】
2011186393.tif 000006
【図５】
2011186393.tif 000007
【図６】
2011186393.tif 000008
【図７】
2011186393.tif 000009
【図８】
2011186393.tif 000010
【図９】
2011186393.tif 000011
【図１０】
2011186393.tif 000012
【図１１】
2011186393.tif 000013
【図１２】
2011186393.tif 000014
【図１３】
2011186393.tif 000015
【図１４】
2011186393.tif 000016
【図１５】
2011186393.tif 000017
【図１６】
2011186393.tif 000018
【図１７】
2011186393.tif 000019
【図１８】
2011186393.tif 000020
【図１９】
2011186393.tif 000021
【図２０】
2011186393.tif 000022
【図２１】
2011186393.tif 000023
【図２２】
2011186393.tif 000024
【図２３】
2011186393.tif 000025
【図２４】
2011186393.tif 000026
【図２５】
2011186393.tif 000027